(57)【要約】【課題】幼児等を撮影する場合に容易に子供の視線を画像記録再生装置に向けさせることができる機能を備えた画像記録再生装置を提供する。【解決手段】表示部４は、撮影者方向から被写体方向へ回転自在であり、回転検出部３が、表示部４の回転位置を検出する。表示部５には撮影部１０から入力される画像が表示されている状態で、表示部４を反転させて被写体方向に向けると、回転検出部３が反転を検出し制御部２の制御により、記録媒体９にある画像情報を記録媒体制御部８より読み出し画像表示部６を経由して表示部４に被写体の興味をひくような画像を表示することができる。【選択図】図１
2009290511.tif 000002
【特許請求の範囲】
【請求項１】
被写体像から画像信号を生成し出力する撮像部と、
前記画像信号に画像処理を行う画像処理部と、
前記画像処理部の出力信号を圧縮・伸張する圧縮・伸張部と、
前記圧縮・伸張部で圧縮した画像情報の記録媒体への書き込み、及び記録媒体からの画像情報の読み出しを行う記録媒体制御部と、
開閉及び回転自在に支持された第一の表示部と、
前記画像処理部の出力信号を表示する第二の表示部と、
前記第一の表示部の反転を検知する回転検出部と、
記録の開始を含む操作を指示する操作部と、
前記操作部による記録開始操作後に、前記回転検出部が前記第一の表示部の反転を検知した時に、前記第一の表示部に前記記録媒体の画像情報を前記圧縮・伸張部で伸張した信号を表示する表示制御部と、
を備えた画像記録再生装置。
【請求項２】
前記表示制御部は、前記操作部による記録開始操作前に、前記回転検出部が前記第一の表示部の反転を検知した時に、前記第一の表示部に前記画像処理部の出力信号を表示する請求項１に記載の画像記録再生装置。
【請求項３】
前記表示制御部は、記録時に前記第一の表示部に表示する前記記録媒体上の画像情報を、前記操作部により指定する請求項１又は請求項２に記載の画像記録再生装置。
【請求項４】
前記操作部による操作に基づき、
前記第二の表示部は、前記画像処理部の出力信号、及び前記記録媒体の画像情報を前記圧縮・伸張部で伸張した信号を表示する請求項１から請求項３の何れかに記載の画像記録再生装置。
【発明の詳細な説明】
【技術分野】
【０００１】
本発明は、たとえばビデオカメラ等で記録媒体に動画や静止画を記録し再生する画像記録再生装置に関し、特に２つの表示部を有する画像記録再生装置において、被写体に向けた表示部に被写体以外の画像情報を表示する画像記録再生装置に関するものである。
【背景技術】
【０００２】
従来のデジタルビデオカメラにおいては、液晶モニタとビューファインダのように表示部を２つ具備するものがあり、その液晶モニタは筐体に対して回転自在に支持されており、撮影者自身を撮影できるもの（以下、自分撮りと呼ぶ）もある。
【０００３】
例えば、特許文献１や特許文献２では、一方の表示部を被写体側に反転させ、興味をひくような画像や文字を表示することで、幼児等を撮影する場合に子供の視線をカメラに向けさせることができる機能を具備している。
【特許文献１】特開２００５−１６４６２３号公報
【特許文献２】特開２００１−２５７９１１号公報
【発明の開示】
【発明が解決しようとする課題】
【０００４】
しかしながら、前記従来の構成では被写体に対して興味をひくような画像を表示させるまでに、２つの表示部のどちらに何を表示するかという切り替え操作が必要であり、設定するまでに時間がかかる問題があった。
【０００５】
動画撮影中の場合には、一旦撮影をやめるか、もしくはビデオカメラの切り替え操作に意識を集中しなければならず、特に幼い子供を撮影する場合、撮影の最中に突然泣き出してしまった機嫌を戻すためや、特定の瞬間に子供の視線をカメラの方に向けさせるためなどに前記機能を利用したいが、設定までに時間がかかってしまい、適応することができないという課題があった。
【０００６】
本発明は上記課題を解決するものであり、簡便な操作で表示部に被写体の興味をひく画像を表示することができる画像記録再生装置を提供することを目的とする。
【課題を解決するための手段】
【０００７】
前記従来の課題を解決するために、本発明の画像記録再生装置は、被写体像から画像信号を生成し出力する撮像部と、前記画像信号に画像処理を行う画像処理部と、前記画像処理部の出力信号を圧縮・伸張する圧縮・伸張部と、前記圧縮・伸張部で圧縮した画像情報の記録媒体への書き込み、及び記録媒体からの画像情報の読み出しを行う記録媒体制御部と、開閉及び回転自在に支持された第一の表示部と、前記画像処理部の出力信号を表示する第二の表示部と、前記第一の表示部の反転を検知する回転検出部と、記録の開始を含む操作を指示する操作部と、前記操作部による記録開始操作後に、前記回転検出部が前記第一の表示部の反転を検知した時に、前記第一の表示部に前記記録媒体の画像情報を前記圧縮・伸張部で伸張した信号を表示する表示制御部と、を備える。
【発明の効果】
【０００８】
以上のように、本発明の画像記録再生装置は、撮影者は一方の表示部を反転させるという簡便な操作で、表示部に被写体の興味をひく画像を表示することができる。
【発明を実施するための最良の形態】
【０００９】
以下本発明を実施するための最良の形態について、図面を参照しながら説明する。
（実施の形態１）
図１は本発明の画像記録再生装置の一実施の形態における構成を示すブロック図である。
【００１０】
図１において、撮像部１０は被写体像を撮影したアナログの光映像信号からディジタル映像信号を生成し、画像信号として出力する。撮像部１０は、対物レンズ、ズームレンズ、絞り、ＯＩＳユニット、フォーカスレンズを含む光学系（図示せず）と、ＣＣＤイメージセンサー、又はＣＭＯＳイメージセンサーで構成される撮像素子（図示せず）とで構成される。
【００１１】
制御部２は画像記録再生装置全体の動作を制御する。制御部２は、ハードウェアのみで構成してもよいし、ハードウェアとソフトウェアを組み合わせることにより実現してもよい。制御部２は、マイクロコンピュータで実現できる。
【００１２】
記録媒体制御部８は記録媒体９への画像情報の書き込み、および記録媒体９からの画像情報の読み出しを行う。記録媒体９として、ＳＤメモリカード等の半導体メモリーカードを用いる。
【００１３】
信号処理部７は、画像処理部と、圧縮・伸張部とで構成される。画像修理部は、撮像部１０からの画像データに対して、ガンマ補正やホワイトバランス補正、傷補正などの各種画像処理を行う。圧縮・伸張部は、画像記録時に、画像信号に対してエンコード処理を行い、管理情報等を付加した画像情報を生成し、記録媒体制御部８に出力する圧縮処理と、画像再生時に、記録媒体９に記録されている画像情報を記録媒体制御部８を介して読み出し、デコード処理を行い、画像表示部６へ出力する伸張処理とを行う。
【００１４】
画像表示部６は、制御部２により表示のＯＮ，ＯＦＦ制御や表示画像リサイズなどの指示をうけ、画像表示に必要な画像処理を行った上で、液晶モニタ４と電子ビューファインダ５に画像情報を出力する。
【００１５】
液晶モニタ４は、画像記録再生装置本体に対して、開閉動作、及び回転自在に支持されており、画像表示部６からの画像情報を表示する。図２は液晶モニタ４を開けて、回転した際の画像記録再生装置の形状を示す。画像記録再生装置は、撮影者側を向いているモード（以下、通常モードと呼ぶ）と、表示部４が被写体側を向いているモード（以下、反転モードと呼ぶ）とが存在する。
【００１６】
電子ビューファインダ５は、画像表示部６からの画像情報を表示し、撮影時に被写体をモニタする。
【００１７】
操作部１は記録の開始や、記録媒体９上の再生対象の画像情報の選択等の、ユーザの操作指示を受け付け、その指示を制御部２に伝える。
【００１８】
回転検出部３は、液晶モニタ４の回転動作を検出し、検出結果を制御部２に通知する。
【００１９】
図３は液晶モニタ４と電子ビューファインダ５の表示例である。
【００２０】
液晶モニタ４の表示画面には、記録媒体９に準備しておいた被写体の好むような画像情報を、表示させる。電子ビューファインダ５の表示画面には、信号処理部７で画像処理した撮像部１０からの画像情報を表示させる。また、電子ビューファインダ５の小画面付き表示画面は、画像表示部６にて液晶モニタ４に表示されている画像を電子ビューファインダ５に表示されている画像情報に重畳して、小画面１１として表示させている例（以下、小画面表示と呼ぶ）である。
【００２１】
このように、電子ビューファインダ５に、撮像部１０による被写体の画像とともに、液晶モニタ４に表示されている画像を表示することによって、液晶モニタ４に表示された画像の内容により生じる被写体の変化を、撮影者は把握しつつ、撮影を行うことができる。
【００２２】
以上の様に構成された画像記録再生装置について、以下、その動作を説明する。
【００２３】
動画撮影中もしくは撮影待機中では、制御部２の制御により、撮像部１０から入力された映像信号が信号処理部７で画像処理される。画像処理された信号は、画像表示部６で画角調整や画像の重畳処理や表示切替処理を行い、液晶モニタ４と電子ビューファインダ５に表示する。
【００２４】
一般的にはビデオカメラのようなモバイル機器では、省電力で動作させる必要があるため、液晶モニタ４か電子ビューファインダ５のどちらか一方の表示部のみに表示させ、もう一方の表示をＯＦＦにしている。
【００２５】
具体的にはユーザが操作部１に対して操作を行い、その操作指示を基に、制御部２が制御を行い、画像表示部６にて表示のＯＮ、ＯＦＦ制御を行い、液晶モニタ４もしくは電子ビューファインダ５のどちらか一方の表示部を有効にし、もう一方の表示部は電源を切っている。
【００２６】
自分撮りの場合には、ユーザが液晶モニタ４を反転させることにより、回転検出部３が回転を検知し、制御部２へ通知し、制御部２の制御により画像表示部６の画像反転処理を行い、液晶モニタ４には撮像部１により撮影された被写体の画像が表示される。
【００２７】
液晶モニタ４を反転された後に、記録開始操作を行った場合には、自分撮りと判断し、液晶モニタ４には撮影部１により撮影された被写体の画像を表示する。
【００２８】
あるいは操作部１を用いたユーザによる設定により、自分撮りと判断しても良い。
【００２９】
このように、液晶モニタ４の反転操作のタイミングにより、自分撮りと判断することができ、簡便な操作で自分撮りを実行することができる。
【００３０】
撮影中の場合には信号処理部７で、画像処理された画像を、圧縮・伸張部で圧縮し、記録媒体制御部８により記録媒体９に記録される。
【００３１】
再生中や、撮影中もしくは撮影待機中に、液晶モニタ４又は電子ビューファインダ５に画像情報を表示する場合には、記録媒体９に記録されている画像情報を記録媒体制御部８を介して読み出し、信号処理部で伸張した信号を、画像表示部６を経由して、液晶モニタ４もしくは電子ビューファインダ５に表示させる。
【００３２】
撮像部１０から入力されている画像情報を信号処理部７と画像表示部６を経由して電子ビューファインダ５に表示させている場合において、ユーザが液晶モニタ４を反転させることで、回転検出部３は回転を検知した結果を制御部２へ通知し、制御部２の制御によって記録媒体９に記録されている画像情報を記録媒体制御部８から読み出し、信号処理部７のデコード処理を経由し、直接画像情報が画像表示部６に読み出され、液晶モニタ４に表示される。
【００３３】
また事前に液晶モニタ４に表示させる画像を、画像処理した状態で記録媒体９に記録させておき、信号処理部７を経由せずに、直接画像表示部６に読み込まれて表示することもできる。
【００３４】
また液晶モニタ４に表示させる画像を、図３の小画面１１のように電子ビューファインダ５へ小画面表示として重畳して表示することもできる。
【００３５】
また電子ビューファインダ５へ表示される被写体画像に小画面表示を重畳した画像を、記録媒体９に記録しても良い。
【００３６】
ユーザは小画面１１を見ながら操作部１を操作することで、制御部２から記録媒体制御部８を制御し、記録媒体９に記録されている画像情報のうち液晶モニタ４に表示する画像を選択することができる。
【００３７】
上記実施の形態では、本発明を静止画記録及び動画記録の機能を具備したビデオカメラに適用した例を述べたが、本発明の適用範囲はこれに限らず、動画記録と静止画記録の両機能を兼備したビデオカメラや、静止画記録専用のデジタルカメラにも適用することができる。
【００３８】
以上の本実施の形態によれば、撮像部１から入力された画像情報を電子ビューファインダ５に表示している時に、ユーザが液晶モニタ４を反転させることで、回転検出部３は回転を検知し制御部２へ通知し、制御部２の制御により記録媒体９に記録されている画像情報を記録媒体制御部８から読み出し、信号処理部７により画像情報が生成され、画像表示部６によって液晶モニタ４の表示を有効にし反転処理を行って画像情報を表示することにより、被写体の興味をひくような画像を容易に表示することができる。
【００３９】
なお本発明の実施の形態において、記録媒体９は、内臓されているＦＬＡＳＨメモリやＳＤＲＡＭメモリなどいかなる記録媒体であっても良く、また外部メモリとして、ＳＤメモリカード、ＤＶＤ（ＤｉｇｉｔａｌＶｅｒｓａｔｉｌｅＤｉｓｃ）、ハードディスクなどのいかなる記録媒体であっても良い。
【００４０】
なお本発明の実施の形態において、記録媒体９を２つ以上具備し、そのうちの１つの記録媒体を画像情報の記録用途として用い、また別の１つの記録媒体を被写体の好むような画像情報を準備しておく用途として用いても構わない。
【００４１】
また本発明の実施の形態において、表示部は、液晶モニタ４と電子ビューファインダ５により構成されるとしたが、本発明はこれに限定されず、２つの表示部を備えれば良く、表示部は液晶ディスプレイ、プラズマディスプレイ、ＣＲＴなどのいかなる表示媒体であっても良い。
【産業上の利用可能性】
【００４２】
発明にかかる画像記録再生装置は、一方の表示部を反転することで、被写体に対して興味をひくような画像を表示させ、目線を引く効果があるため、ビデオカメラや、デジタルスチルカメラなど映像データの録画再生機能を有する機器の撮影の用途に有用である。
【図面の簡単な説明】
【００４３】
【図１】本発明の一実施の形態における画像記録再生装置の基本構成を示す図
【図２】本発明の一実施の形態における通常記録モードと対面記録モードの画像記録再生装置を示す図
【図３】本発明の一実施の形態における２つの表示部の表示画面例を示す図
【符号の説明】
【００４４】
１    操作部
２    制御部
３    回転検出部
４    液晶モニタ
５    電子ビューファインダ
６    画像表示部
７    信号処理部
８    記録媒体制御部
９    記録媒体
１０    撮像部
１１    小画面
【図１】
2009290511.tif 000003
【図２】
2009290511.tif 000004
【図３】
2009290511.tif 000005